Podtech/llm-jp-corpus-v4-ja_patent huggingface dataset:
【手続補正書】
【提出日】平成30年1月26日(2018.1.26)
【手続補正１】
【補正対象書類名】特許請求の範囲
【補正対象項目名】全文
【補正方法】変更
【補正の内容】
【特許請求の範囲】
【請求項１】
ユーザが対象物の拡大画像を観察することを可能にするための拡大機アセンブリであって、
面に対して支持されるように構成されている下部ベースを備えるスタンドであって、第１の上端部と第２の上端部とを有する本体部をさらに備え、ブリッジが前記スタンドの前記第１の上端部と前記第２の上端部との間に延び、前記スタンドの前記第１の上端部と前記第２の上端部とを相互接続しており、前記ブリッジはＵ字状のトラフを形成している、スタンドと、
前部表面と後部表面とを有するモニタであって、前記モニタの後部は前記スタンドに対して着脱可能に接続されており、前記モニタの前部は画像を表示するためのスクリーンを備える、モニタと、
フレキシブル・カメラアームによって前記スタンドに対して接続されているカメラであって、前記カメラアームは、ヒンジを介して前記スタンドの前記第１の上端部に対して接続されている基端部を有し、前記カメラアームは、前記カメラに旋回可能に接続されている先端部をさらに備え、前記ヒンジは、前記カメラアームが前記モニタの前方に又は前記ブリッジの前記トラフ内に選択的に配置されることを可能にし、前記カメラアームが前記トラフ内にあるとき、前記カメラが前記スタンドの前記第２の上端部に隣接するとともに、前記トラフ及び前記カメラアームは共に前記ユーザが前記アセンブリを運ぶことができるハンドルを形成する、カメラと、
一対のフレキシブル照明アームであって、各照明アームは、前記モニタの前記後部に対して接続されている基端部と、発光ダイオード（ＬＥＤ）を備える先端部とを有し、前記フレキシブル照明アームは、観察されている前記対象物を照明するように前記ＬＥＤが前記モニタの前方に適切に配置されることを可能にする、フレキシブル照明アームと、を備える、アセンブリ。
【請求項２】
拡大機アセンブリであって、
第１の端部と第２の端部とを有する本体部を備えるスタンドであって、ブリッジが前記スタンドの前記第１の端部と前記第２の端部との間に延び、前記スタンドの前記第１の端部と第２の端部とを相互接続している、スタンドと、
画像を表示するためのスクリーンを備えるモニタと、
カメラアームによって前記スタンドに対して接続されているカメラであって、前記カメラアームは、ヒンジを介して前記スタンドの前記第１の端部に対して接続されている基端部を有し、前記カメラアームは、前記カメラに対して接続されている先端部をさらに備え、前記ヒンジは、前記カメラアームが前記モニタの前方に又は前記ブリッジに沿って選択的に配置されることを可能にし、前記カメラアームが前記ブリッジに沿っているとき、前記カメラが前記スタンドの前記第２の端部に隣接するとともに、前記ブリッジ及び前記カメラアームは共にユーザが前記アセンブリを運ぶことができるハンドルを形成する、カメラと、を備える、アセンブリ。
【請求項３】
前記モニタは前部表面と後部表面とを有しており、前記モニタの後部は前記スタンドに対して着脱可能に接続されており、それによって前記モニタが取り外されること、交換されること、又は修理されることを可能とする、請求項２に記載の拡大機アセンブリ。
【請求項４】
前記モニタに対して接続されている基端部と発光ダイオード（ＬＥＤ）を備える先端部とを有するフレキシブル照明アームをさらに備え、前記フレキシブル照明アームは、観察されている対象物を照明するように前記ＬＥＤが前記モニタの前方に適切に配置されることを可能にする、請求項２に記載の拡大機アセンブリ。
【請求項５】
２つの照明アームを備える、請求項４に記載の拡大機アセンブリ。
【請求項６】
前記スタンドは面に対して支持されるように構成されている下部ベースをさらに備える、請求項２に記載の拡大機アセンブリ。
【請求項７】
前記ブリッジはＵ字状のトラフを形成し、前記カメラアームは前記Ｕ字状のトラフ内に受け入れられるように寸法を決定されている、請求項２に記載の拡大機アセンブリ。
【請求項８】
前記カメラは前記カメラアームの前記先端部に旋回可能に接続されている、請求項２に記載の拡大機アセンブリ。
【請求項９】
前記カメラアームはフレキシブルである、請求項８に記載の拡大機アセンブリ。
【請求項１０】
拡大機アセンブリであって、
ハンドルを有し、凹部を備える、スタンドと、
画像を表示するためのスクリーンを備えるモニタと、
カメラアームによって前記スタンドに対して接続されているカメラであって、前記カメラアームは、ヒンジを介して前記スタンドに対して接続されている基端部を有し、前記カメラアームは、前記カメラに対して接続されている先端部をさらに備え、前記ヒンジは、前記カメラアームが前記モニタの前方に又は前記ハンドルの前記凹部内に選択的に配置されることを可能にする、カメラと、を備える、アセンブリ。
【手続補正２】
【補正対象書類名】明細書
【補正対象項目名】００１５
【補正方法】変更
【補正の内容】
【００１５】
拡大される対象物の画像が、モニタ４２上に表示される。モニタ４２は、従来のＬＣＤモニタであってよい。これは、一連のディテント（図示せず）を介してスタンド２０に対して取り外し可能に固定されるように設計されている。したがって、モニタ４２は、修理又は交換のためにユーザによって取り外されることができる。図３を参照すると、モニタ４２は、好適には、旋回連結部４４を介してスタンド２０に対して固定されることが分かる。圧縮ワッシャが連結部４４内に備えられることができ、モニタ４２は、ユーザによって別に操作されない限りはその角度位置を維持する。圧縮ばね４６は、モニタ４２をほぼ直立の、すなわち、垂直な姿勢へと付勢するように、任意にモニタ４２とスタンド２０との間に備えられる。
【手続補正３】
【補正対象書類名】明細書
【補正対象項目名】００１７
【補正方法】変更
【補正の内容】
【００１７】
ヒンジ・アセンブリ５６が、アーム５４のベースに備えられる。とりわけ、ヒンジ・アセンブリ５６は、ユーザが右利きであるか左利きであるかに応じてスタンド２０の右側部分２４又は左側部分２６の中に選択的に収容されることができる。図４では、スタンド２０の左側部分２６内に取り付けられているヒンジ・アセンブリ５６を示す。これは、右手のユーザによる使用に好適な位置である。すなわち、モニタ４２の前のユーザは、その右手を使用してカメラアーム５４を展開姿勢へと上向きに旋回させることができる。反対に、ヒンジ・アセンブリ５６は、左利きのユーザ用にスタンド２０の右側部分２４内に配置されてよい。右利き配置であるか左利き配置であるかの間の変更は、製造者によって又はエンドユーザによって行われることができる。
【手続補正書】
【提出日】平成30年1月26日(2018.1.26)
【手続補正１】
【補正対象書類名】特許請求の範囲
【補正対象項目名】全文
【補正方法】変更
【補正の内容】
【特許請求の範囲】
【請求項１】
ドライバと、前記ドライバに加えられるパルス幅変調された入力信号を制御するための制御装置と、を備える回路であって、前記入力信号が、オンタイム及びオフタイムを含む周期を有し、前記周期が第１の周波数で反復し、前記制御装置が、前記周期又は前記オフタイムに対する前記オンタイムの比である前記入力信号のデューティサイクルを制御し、
前記ドライバが、前記入力信号に基づいて負荷に電流を供給し、各周期の前記オフタイムにわたって、前記ドライバが、電源から前記負荷への電流の供給を抑制し、各周期の前記オンタイムにわたって、前記ドライバが、前記電源から前記負荷に電流を供給するが、前記第１の周波数よりも高い第２の周波数で供給して、前記負荷が、前記デューティサイクルに依存するレベルで出力を発生し、
前記制御装置が、前記負荷の前記出力を所望の出力レベルに設定するように前記デューティサイクルを制御し、前記所望の出力レベルに対応する点の周りで前記デューティサイクルをディザリングし、
前記回路が、前記第２の周波数を測定するための、前記ドライバから前記制御装置へのフィードバックチャネルを更に備え、前記制御装置が、前記フィードバックチャネルを介して測定された前記第２の周波数に依存して、前記デューティサイクルの前記ディザリングを適応させる、
回路。
【請求項２】
前記制御装置が、前記負荷の前記出力を複数の異なる出力レベルに切り替えるために前記デューティサイクルを制御し、前記ディザリングが、前記異なる出力レベルにそれぞれ対応する複数の点それぞれの周りで前記デューティサイクルをディザリングすることを含む、請求項１に記載の回路。
【請求項３】
前記負荷が光源を含み、前記出力が、前記光源によって放出される光を含む、請求項１又は２に記載の回路。
【請求項４】
前記制御装置が、前記負荷によって放出される光を複数の異なる光出力レベルに切り替えるために前記デューティサイクルを制御する、請求項３に記載の回路。
【請求項５】
前記制御装置が、データ信号のシンボルを信号伝送するために、前記異なる出力レベルを使用することによって前記データ信号を光に符号化する、請求項４に記載の回路。
【請求項６】
前記制御装置が、前記異なる光出力レベルにそれぞれ対応する複数の点それぞれの周りで前記デューティサイクルをディザリングすることによって前記ディザリングを行う、請求項４又は５に記載の回路。
【請求項７】
前記負荷の前記出力が、前記デューティサイクルと前記出力レベルとの関係に従って変化し、
前記第１と第２の周波数が合わさって、前記デューティサイクルの規則的なインターバルで反復する前記デューティサイクルと前記出力レベルとの関係のパターンを生み出す、
請求項１乃至６の何れか一項に記載の回路。
【請求項８】
前記負荷が光源を備え、前記出力が、前記光源によって放出される光を含み、前記関係が、前記デューティサイクルと前記光のレベルとの関係である、請求項７に記載の回路。
【請求項９】
前記デューティサイクルが、前記１点の周り又は前記複数の点それぞれの周りで、複数であるｎ個の離散ステップでディザリングされる、請求項１乃至８の何れか一項に記載の回路。
【請求項１０】
前記デューティサイクルが、前記１点の周り又は前記複数の点それぞれの周りで、Ｐ／ｎのｎ個のステップでディザリングされ、ここで、Ｐは前記デューティサイクルの前記規則的なインターバルの周期である、請求項７又は８に従属する請求項９に記載の回路。
【請求項１１】
前記ディザリングがランダムであり、前記ｎ個のステップはそれぞれ、１周期当たりに選択される確率が１／ｎである、請求項９又は１０に記載の回路。
【請求項１２】
前記ドライバが降圧コンバータである、請求項１乃至１１の何れか一項に記載の回路。
【請求項１３】
前記フィードバックチャネルが、分圧器又は差動回路を備える、請求項１乃至１２の何れか一項に記載の回路。
【請求項１４】
コードを含むコンピュータプログラムであって、前記コードが、コンピュータ可読記憶媒体上で具現化され、１つ又は複数のプロセッサ上で実行されるときに、
入力信号に基づいて負荷に電流を供給するドライバに、パルス幅変調された入力信号が提供されるようにする操作であって、前記入力信号が、オンタイム及びオフタイムを含む周期を有し、前記周期が第１の周波数で反復し、各周期の前記オフタイムにわたって、前記ドライバが、電源から負荷への電流の供給を抑制し、各周期の前記オンタイムにわたって、前記ドライバが、前記第１の周波数よりも高い第２の周波数で、前記電源から前記負荷に電流を供給する操作と、
前記負荷の前記出力を所望の出力レベルに設定するために、前記周期又は前記オフタイムに対する前記オンタイムの比である前記入力信号のデューティサイクルを制御する操作と、
前記所望の出力レベルに対応する点の周りで前記デューティサイクルをディザリングする操作と
を行う、コンピュータプログラム。
【手続補正書】
【提出日】平成30年8月13日(2018.8.13)
【手続補正１】
【補正対象書類名】明細書
【補正対象項目名】０３９４
【補正方法】変更
【補正の内容】
【０３９４】
いくつかの実施形態では、１以上の変異はサプレッサー融合状態であり、細胞はサプレッサー融合（ＳｕＦｕ又はＳＵＦＵ）機能喪失を有する。いくつかの実施形態では、これはＳｕＦｕ活性における機能喪失をもたらす。いくつかの実施形態では、ＳｕＦｕ変異は、髄芽腫、髄膜腫、腺様嚢胞癌、基底細胞癌及び横紋筋肉腫癌細胞内にある。いくつかの実施形態では、ＳｕＦｕ変異は、Ｂｒｕｇｉｅｒｅｓ外，２０１２，ＪＣＯ，３０（１７）：２０８７−２０９３に記載の突然変異のいずれかである。この文献はその全体が本明細書で援用される。いくつかの実施形態では、ＳｕＦｕ変異は、表２Ａ若しくは表２Ｂに記載の変異のいずれか又はＢｒｕｇｉｅｒｅｓ外，２０１２，ＪＣＯ，３０（１７）：２０８７−２０９３に記載の突然変異のいずれかである。この文献はその全体が本明細書で援用される。
【手続補正２】
【補正対象書類名】明細書
【補正対象項目名】０３９５
【補正方法】変更
【補正の内容】
【０３９５】
【表２Ａ】
2017506072.tif 000001
【手続補正３】
【補正対象書類名】明細書
【補正対象項目名】０３９６
【補正方法】変更
【補正の内容】
【０３９６】
【表２Ｂ】
2017506072.tif 000002
【手続補正４】
【補正対象書類名】明細書
【補正対象項目名】０４０７
【補正方法】変更
【補正の内容】
【０４０７】
いくつかの実施形態では、ここに開示された方法のいずれかで処理された細胞は、活性化をもたらす又はヘッジホッグシグナル伝達を増加させる遺伝子内に１以上の変異を含み、ここで、該変異は上記のとおりである。
【手続補正５】
【補正対象書類名】明細書
【補正対象項目名】０４０８
【補正方法】削除
【補正の内容】
【手続補正６】
【補正対象書類名】明細書
【補正対象項目名】０４０９
【補正方法】削除
【補正の内容】
【手続補正７】
【補正対象書類名】明細書
【補正対象項目名】０４１０
【補正方法】削除
【補正の内容】
【手続補正８】
【補正対象書類名】明細書
【補正対象項目名】０４１１
【補正方法】削除
【補正の内容】
【手続補正９】
【補正対象書類名】明細書
【補正対象項目名】０４１２
【補正方法】削除
【補正の内容】
【手続補正１０】
【補正対象書類名】明細書
【補正対象項目名】０４１３
【補正方法】削除
【補正の内容】
【手続補正１１】
【補正対象書類名】明細書
【補正対象項目名】０４１４
【補正方法】削除
【補正の内容】
【手続補正１２】
【補正対象書類名】明細書
【補正対象項目名】０４７４
【補正方法】変更
【補正の内容】
【０４７４】
【表３】
2017506072.tif 000003
【手続補正１３】
【補正対象書類名】明細書
【補正対象項目名】０４９１
【補正方法】変更
【補正の内容】
【０４９１】
表４：ビスモデギブ及びＬＹ２９４０６８０の両方の４．５オングストローム内の原子によるＳＭＯ残基の同定
【表４−１】
2017506072.tif 000004
【表４−２】
2017506072.tif 000005
【手続補正書】
【提出日】平成30年2月5日(2018.2.5)
【手続補正１】
【補正対象書類名】特許請求の範囲
【補正対象項目名】全文
【補正方法】変更
【補正の内容】
【特許請求の範囲】
【請求項１】
CD133に特異的に結合し、配列5'-X-ACGUAUACUAU-Y-3'(配列番号1)を含むアプタマーであって、X及びYの配列が、塩基対形成することができるように相補的であり、X及びYが個々に、前記アプタマーのステム領域を含み、少なくとも1つの部分構造の付加を可能とするのに十分な長さの交互のCG対形成ヌクレオチドを含む、アプタマー。
【請求項２】
X及びYが
(i)個々に、少なくとも4CG対形成ヌクレオチドを含む、又は
(ii) 4から15の間のCG対形成ヌクレオチドを含む、
請求項1に記載のアプタマー。
【請求項３】
CD133に対して約24nM以下の解離定数(KD)を示す、請求項1又は2に記載のアプタマー。
【請求項４】
配列5'-CGCGCGCCGCACGUAUACUAUGCGGCGCGCG-3'(配列番号2)を含む、又は配列番号2の配列からなる、請求項1から3のいずれか一項に記載のアプタマー。
【請求項５】
前記部分構造が、DNA染色、又は化学療法処置に用いられる分子である、請求項1から4のいずれか一項に記載のアプタマー。
【請求項６】
前記分子が、ドキソルビシン、アドリアマイシン、ベルベリン、プロフラビン、ミトキサントロン、ダウノルビシン、サリドマイド、ダクチノマイシン、ダウノマイシン、アクチノマイシンD、9-アミノアクリジン、アムルビシン、アムサクリン、アントラマイシン、ベルビン、ブレオマイシン、エリプチシン、エピルビシン、イダルビシン、メタピリロ、ミトラマイシン、マイトマイシン、マイトマイシンC、ミトキサントロン、ミトキサントロン、ピラルビシン、ピキサントロン、プリカマイシン、プロフラビン、プロディジオシン、サリドマイド、ボレロキシン、バルルビシン、ゾルビシン、クロルフェニラミン、プロディシオシン、メタピリリノ、マイトマイシン、ジスタマイシン、ダンチノマイシン、ジスタマイシン、カルボプラチン、シスプラチン及び他のプラチナ誘導体、Hoechst 33258、ベレニル、DAPI、又は臭化エチジウムからなる群から選択される、請求項5に記載のアプタマー。
【請求項７】
前記部分構造の付加が、インターカレーション又はコンジュゲーションによる、請求項1から6のいずれか一項に記載のアプタマー。
【請求項８】
アプタマー安定性を高める1つ又は複数の修飾を含む、請求項1から7のいずれか一項に記載のアプタマー。
【請求項９】
配列5'-ACGUAUACUAU-3'(配列番号3)である、ループ領域におけるピリミジンヌクレオチド塩基(C及び/又はU)が、2'-フルオロ(2'-F)修飾されている、請求項1から8のいずれか一項に記載のアプタマー。
【請求項１０】
3'末端を、リン酸基、リン酸エステル、又は逆向きdT(invdT-3')と結合させた、請求項1から9のいずれか一項に記載のアプタマー。
【請求項１１】
配列5'-X-A(2'fC)G(2'-fU)A(2'fU)A(2'fC)(2'fU)A(2'fU)-Y-(inv dT)-3'(配列番号4)を含み、X及びYが、塩基対形成することができるように相補的であり、X及びYが個々に、ある長さの交互のCG対形成ヌクレオチドを含み、Cが5-メチルdCであり、f=2'-フルオロであり、inv dT=逆向きdTである、請求項1から10のいずれか一項に記載のアプタマー。
【請求項１２】
配列5'-mCGmCGmCGmCmCGmCA(2'fC)G(2'-fU)A(2'fU)A(2'fC)(2'fU)A(2'fU)GmCGGmCGmCGmCG-(inv dT)-3'(配列番号5)を含み、C=5-メチルdCであり、f=2'-フルオロであり、inv dT=逆向きdTである、請求項1から11のいずれか一項に記載のアプタマー。
【請求項１３】
配列番号1、配列番号2、配列番号4、又は配列番号5の配列を含むアプタマーと実質的に同じ、CD133に対して約24nM以下の解離定数(KD)を示すことによるCD133への結合能力を有するアプタマー。
【請求項１４】
in vitroでCD133+細胞に特異的に結合する、請求項1から13のいずれか一項に記載のアプタマー。
【請求項１５】
前記CD133+細胞が癌幹細胞である、請求項14に記載のアプタマー。
【請求項１６】
前記細胞が、対象から得られた生体試料中に存在する、請求項14又は15のいずれか一項に記載のアプタマー。
【請求項１７】
請求項1から16のいずれか一項に記載のアプタマーを含む診断剤又はセラノスティック剤。
【請求項１８】
Doxがアプタマーのステム領域にインターカレートしている、アプタマー-Doxコンジュゲートである、請求項17に記載のセラノスティック剤。
【請求項１９】
癌を有する、又は癌を有することが疑われる対象又は対象から得られた生体試料中のCD133発現細胞及び/又は癌幹細胞を同定するin vitro方法であって、前記細胞を、請求項17又は18に記載の診断剤又はセラノスティック剤と接触させる工程を含む方法。
【請求項２０】
免疫グロブリン若しくはそのフラグメント、治療剤、薬剤若しくは生理活性剤、毒素、又は放射性核種、siRNA、DNAザイム、又はリボザイムからなる群から選択される活性がある部分構造と更に結合させた、請求項1から15のいずれか一項に記載のアプタマー。
【請求項２１】
それを必要とする対象における癌の処置において使用するための、請求項1から15のいずれか一項に記載のアプタマーを含む組成物又は請求項17若しくは18に記載のセラノスティック剤。
【請求項２２】
請求項1から15のいずれか一項に記載のアプタマー又は請求項17若しくは18記載のセラノスティック剤の治療的に有効な量を、医薬的に許容可能なキャリア及び/又は賦形剤と共に含む組成物。
【手続補正書】
【提出日】平成29年12月18日(2017.12.18)
【手続補正１】
【補正対象書類名】明細書
【補正対象項目名】００５２
【補正方法】変更
【補正の内容】
【００５２】
実施例１：組換え微生物産生菌Ｉを用いる発酵からの２’−フコシルラクトースの精製。
大腸菌（Ｅ．ｃｏｌｉ）株（大腸菌ＢＬ２１（ＤＥ３）ΔｌａｃＺ）を合成する組換え２’−フコシルラクトースを用い、ｗｂｇＬ遺伝子によりコード化されるゲノム組込み２’−フコシルトランスフェラーゼ（ｆｕｃｏｓｙｌｔｒａｎｓｆｅｒａｓｅ）（欧州特許第１１１１５１５７１．４号参照）を含有し、かつ、遺伝子ｇａｌＭ、ｇａｌＫ、ｇａｌＴおよびｇａｌＥを含む機能性ｇａｌオペロンを含有する大腸菌ｌａｃＹ、ｍａｎＢ、ｍａｎＣ、ｇｍｄおよびｆｃｌのさらなるコピーを全て強い構成的テトラサイクリンプロモーターの制御下で有する、２’−フコシルラクトースのフィードバッチ発酵（ｆｅｅｄ−ｂａｔｃｈ  ｆｅｒｍｅｎｔａｔｉｏｎ）を、限定された塩培地で増殖させた。限定された塩培地は、７ｇ  ｌ−１ＮＨ４Ｈ３ＰＯ４、７ｇ  ｌ−１Ｋ２ＨＰＯ４、２ｇ  ｌ−１ＫＯＨ、０．３７ｇ  ｌ−１クエン酸、１ｍｌ  ｌ−１消泡剤（Ｓｔｒｕｋｔｏｌ  Ｊ６７３、Ｓｃｈｉｌｌ＋Ｓｅｉｌａｃｈｅｒ社製）、１ｍＭ  ＣａＣｌ２、４ｍＭ  ＭｇＳＯ４、微量元素および炭素源としての２％グリセロールからなった。
【手続補正書】
【提出日】平成30年2月16日(2018.2.16)
【手続補正１】
【補正対象書類名】特許請求の範囲
【補正対象項目名】全文
【補正方法】変更
【補正の内容】
【特許請求の範囲】
【請求項１】
液体注入システム用のコネクタであって、
遠位端部の第１開口、近位端部の第２開口、および前記第１開口と前記第２開口とを接続する通路を画定するボディと、
前記遠位端部のコネクタ部と、
前記ボディの前記近位端部側の近位領域と、
前記近位領域と前記遠位端部の前記コネクタ部との間において前記ボディから突出するラジアルフランジであって、前記コネクタ部をユーザの指から保護し、注入システムによって力が加えられたときに本コネクタを支持するように構成、配置されるラジアルフランジと、
前記遠位端部の前記第１開口と前記近位端部の前記第２開口との間の前記通路に介在するフィルタと、を備えることを特徴とするコネクタ。
【請求項２】
前記ボディは、実質的に円筒状の本体を備えることを特徴とする請求項１に記載のコネクタ。
【請求項３】
前記近位領域は、１つ以上のフィンを含むことを特徴とする請求項１または２に記載のコネクタ。
【請求項４】
前記１つ以上のフィンは、凹形状の頂部を有することを特徴とする請求項３に記載のコネクタ。
【請求項５】
前記ボディの前記遠位端部の前記コネクタ部は、ルアーコネクタであることを特徴とする請求項１から４のいずれかに記載のコネクタ。
【請求項６】
前記ルアーコネクタは、ルアーロックであることを特徴とする請求項５に記載のコネクタ。
【請求項７】
前記ラジアルフランジは、ディスクを含むことを特徴とする請求項１から６のいずれかに記載のコネクタ。
【請求項８】
液体注入システム用のコネクタであって、
遠位端部の第１開口、近位端部の第２開口、および前記第１開口と前記第２開口とを接続する通路を画定する実施的に円筒状のボディと、
前記遠位端部のルアーコネクタと、
前記ボディから突出する１つ以上のフィンと、
前記１つ以上のフィンと前記ルアーコネクタとの間において前記ボディから突出するディスクであって、前記ルアーコネクタをユーザの指から保護し、注入システムによって力が加えられたときに本コネクタを支持するように構成、配置されるディスクと、
前記第１開口と前記第２開口との間の前記通路に介在するフィルタと、を備えることを特徴とするコネクタ。
【請求項９】
前記１つ以上のフィンは、凹形状の頂部を有することを特徴とする請求項８に記載のコネクタ。
【請求項１０】
前記ルアーコネクタは、ルアーロックであることを特徴とする請求項８または９に記載のコネクタ。
【請求項１１】
前記通路は、遠位部分と、内側部分とを含み、
前記通路の前記遠位部分は、前記通路の前記内側部分の口径サイズより大きい口径サイズを有し、これにより、前記通路の前記遠位部分と前記内側部分との間の境界が形成されることを特徴とする請求項１から１０のいずれかに記載のコネクタ。
【請求項１２】
前記フィルタは、前記通路の前記遠位部分内に配置されることを特徴とする請求項１１に記載のコネクタ。
【請求項１３】
前記フィルタは、前記通路の前記遠位部分と前記内側部分との前記境界に配置されることを特徴とする請求項１２に記載のコネクタ。
【請求項１４】
前記フィルタは、微多孔膜を含むことを特徴とする請求項１から１３のいずれかに記載のコネクタ。
【請求項１５】
前記フィルタは、非対称膜であることを特徴とする請求項１から１３のいずれかに記載のコネクタ。
【請求項１６】
前記フィルタは、限外濾過膜を含むことを特徴とする請求項１から１３のいずれかに記載のコネクタ。
【請求項１７】
前記フィルタは、粗フィルタを含むことを特徴とする請求項１から１３のいずれかに記載のコネクタ。
【請求項１８】
前記第１開口と前記第２開口との間の前記通路に介在する少なくとも１つの追加フィルタを備えることを特徴とする請求項１から１７のいずれかに記載のコネクタ。
【請求項１９】
前記通路は、近位部分をさらに含み、
前記近位部分は、管に接続されることを特徴とする請求項１から１８のいずれかに記載のコネクタ。
【請求項２０】
前記近位部分に接続されていない前記管の端部に取り付けられた注射針をさらに備えることを特徴とする請求項１９に記載のコネクタ。
【請求項２１】
前記近位端部は、第２コネクタに適合していることを特徴とする請求項１から１８のいずれかに記載のコネクタ。
【請求項２２】
前記第２コネクタは、第２ルアーを含むことを特徴とする請求項２１に記載のコネクタ。
【請求項２３】
前記遠位端部の前記第１開口を覆うキャップまたはプラグをさらに備えることを特徴とする請求項１から２２のいずれかに記載のコネクタ。
【請求項２４】
前記キャップまたはプラグはルアーコネクタに適合していることを特徴とする請求項２３に記載のコネクタ。
【請求項２５】
前記キャップは、ルアーロックに適合していることを特徴とする請求項２４に記載のコネクタ。
【請求項２６】
請求項１から２５のいずれかに記載のコネクタを備えることを特徴とするキット。
【請求項２７】
定力ポンプをさらに備えることを特徴とする請求項２６に記載のキット。
【請求項２８】
前記定力ポンプは、定力シリンジスプリングポンプであることを特徴とする請求項２７に記載のキット。
【手続補正２】
【補正対象書類名】明細書
【補正対象項目名】発明の名称
【補正方法】変更
【補正の内容】
【発明の名称】コネクタおよびキット
【手続補正書】
【提出日】平成30年1月26日(2018.1.26)
【手続補正１】
【補正対象書類名】特許請求の範囲
【補正対象項目名】全文
【補正方法】変更
【補正の内容】
【特許請求の範囲】
【請求項１】
表面を含む物体を洗浄するためのシステムであって、
洗浄媒体を前記表面に送出するように構成された洗浄媒体ディスペンサであって、前記洗浄媒体が、前記表面から堆積物を取り除き捕捉する、洗浄媒体ディスペンサと、
超音波を前記物体に送出するように構成された超音波デバイスであって、前記超音波が、前記表面から前記洗浄媒体及び捕捉した堆積物を微粒化する、超音波デバイスと、
バキューム気流を提供するように構成されたバキュームであって、前記バキューム気流が、微粒化した洗浄媒体及び捕捉した堆積物を集める、バキュームと、を備えるシステム。
【請求項２】
前記超音波が、前記物体の前記表面に超音波振動を発生させる、又は
前記超音波が、前記物体の中に超音波振動を発生させる、請求項１に記載のシステム。
【請求項３】
前記超音波が、縦波、せん断波、表面波及びプレート波の少なくとも１つを含む、請求項１又は２に記載のシステム。
【請求項４】
前記洗浄媒体ディスペンサ、前記超音波デバイス及び前記バキュームの位置が、前記表面に対して調節可能である、請求項１に記載のシステム。
【請求項５】
前記洗浄媒体ディスペンサ、前記超音波デバイス及び前記バキュームが、洗浄ヘッドに装着される、請求項１に記載のシステム。
【請求項６】
前記洗浄ヘッドに連結した超音波発生器を更に備える、請求項５に記載のシステム。
【請求項７】
前記洗浄ヘッドが、可動アセンブリに装着され、前記可動アセンブリが、前記表面に対して前記洗浄ヘッドを位置付ける、請求項６に記載のシステム。
【請求項８】
前記超音波が、前記表面の洗浄ゾーンに集束される、請求項１から７の何れか一項に記載のシステム。
【請求項９】
前記物体を保持するように構成された保持固定具を更に備え、前記保持固定具が、音響共振システムを画定し、前記超音波が、前記物体の中で超音波振動を発生させる、請求項１から８の何れか一項に記載のシステム。
【請求項１０】
前記超音波デバイスが、前記保持固定具に連結され、
前記洗浄媒体ディスペンサ及び前記バキュームが、随意的に、洗浄ヘッドに装着される、又は、前記物体に対して調節可能である、請求項９に記載のシステム。
【請求項１１】
前記超音波デバイスが、前記保持固定具に物理的に連結される、又は
前記超音波デバイスが、前記保持固定具及び前記物体の少なくとも１つに空気連結される、請求項９に記載のシステム。
【請求項１２】
前記洗浄媒体ディスペンサ、前記超音波デバイス及び前記バキュームが、洗浄ヘッドに装着され、
前記保持固定具が、前記保持固定具を通って前記物体内に第２の超音波を送出するように構成された第２の超音波デバイスを備え、
前記超音波及び前記第２の超音波が、前記表面から前記洗浄媒体を微粒化するために、前記物体の中に前記超音波振動を発生させる、請求項９に記載のシステム。
【請求項１３】
第２の超音波を前記物体に送出するように構成された第２の超音波デバイスを更に備える、請求項１から１２の何れか一項に記載のシステム。
【請求項１４】
前記超音波デバイスが、前記物体に空気連結され、
前記第２の超音波デバイスが、前記物体に空気連結され、
前記超音波及び前記第２の超音波の干渉が、前記表面の少なくとも一部分の周囲で、超音波相互作用体積を画定する、請求項１３に記載のシステム。
【請求項１５】
前記物体を保持するように構成された保持固定具を更に備え、前記保持固定具が、音響共振システムを画定し、前記超音波及び前記第２の超音波が、前記表面から前記洗浄媒体を微粒化するために、前記物体の中に前記超音波振動を発生させる、請求項１３に記載のシステム。
【請求項１６】
前記第２の超音波デバイスが、前記保持固定具に物理的に連結される、又は
前記超音波デバイスが、前記物体及び前記保持固定具の少なくとも１つに空気連結される、請求項１５に記載のシステム。
【請求項１７】
音響アレイの中に配置された複数の超音波デバイスを更に備え、前記複数の超音波デバイスが、前記超音波を前記物体に送出する、請求項１から１６の何れか一項に記載のシステム。
【請求項１８】
前記超音波が、前記物体の中に超音波振動のパターンを生成する、請求項１７に記載のシステム。
【請求項１９】
前記複数の超音波デバイスが、前記物体に空気連結される、請求項１７に記載のシステム。
【請求項２０】
前記物体を保持するように構成された保持固定具を更に備え、前記保持固定具が、音響共振システムを画定する、請求項１７に記載のシステム。
【請求項２１】
前記複数の超音波デバイスの少なくとも一部分が、前記保持固定具に物理的に連結される、又は
前記複数の超音波デバイスの少なくとも一部分が、前記保持固定具及び前記物体の少なくとも１つに空気連結される、請求項２０に記載のシステム。
【請求項２２】
前記洗浄媒体が、前記表面から前記堆積物を分解し取り除く、請求項１に記載のシステム。
【請求項２３】
前記超音波が、前記表面と前記堆積物との間の粘着力を低減する、請求項１に記載のシステム。
【請求項２４】
前記洗浄媒体が流体を含む、請求項１に記載のシステム。
【請求項２５】
前記流体が、液体及び気体の少なくとも１つを含む、請求項２４に記載のシステム。
【請求項２６】
前記洗浄媒体が、蒸気、水、及び水溶液の少なくとも１つを含む、請求項１に記載のシステム。
【請求項２７】
表面を含む物体を洗浄するための方法であって、
洗浄媒体を前記表面に送出することと、
前記洗浄媒体を微粒化するために、超音波を前記物体に送出することと、
微粒化した洗浄媒体を集めるために、バキューム気流を適用することと、を含む方法。
【請求項２８】
前記超音波が、前記物体の中に超音波振動を発生させる、請求項２７に記載の方法。
【請求項２９】
前記物体を保持固定具に装着することであって、前記保持固定具が音響共振システムを画定する、装着することと、
前記物体の中で超音波振動を発生させるために、前記保持固定具及び前記物体の少なくとも１つに前記超音波を送出することと、を更に含む、請求項２７又は２８に記載の方法。
【請求項３０】
前記表面の洗浄ゾーン上に前記超音波を集束させることと、
前記物体の中に超音波振動のパターンを生成することと、を更に含む、請求項２７から２９の何れか一項に記載の方法。
【請求項３１】
前記超音波振動のパターンを生成するステップが、前記超音波の干渉によって、前記表面の少なくとも一部分の周囲に超音波相互作用体積を画定することを含む、請求項３０に記載の方法。
【請求項３２】
前記洗浄媒体が、前記表面から堆積物を取り除く、請求項２７に記載の方法。
【請求項３３】
前記洗浄媒体が、液体及び気体の少なくとも１つを含む、請求項２７に記載の方法。
【請求項３４】
前記超音波が、前記表面と前記堆積物との間の粘着力を低減する、請求項２７に記載の方法。
【手続補正書】
【提出日】平成30年1月29日(2018.1.29)
【手続補正１】
【補正対象書類名】特許請求の範囲
【補正対象項目名】全文
【補正方法】変更
【補正の内容】
【特許請求の範囲】
【請求項１】
表面を含む物体を洗浄するためのシステムであって、
音響波を前記物体に送出するように構成された音響デバイスと、
流体を前記表面に送出するように構成された流体ディスペンサと、
バキューム気流を前記表面に近接して送出するように構成されたバキュームと、を備え、
前記音響波が、前記表面から堆積物を取り除き、前記流体を音響的に処理し、前記流体及び前記流体によって集められた前記堆積物を微粒化する、システム。
【請求項２】
前記音響波が、前記物体の前記表面に音響振動を発生させる、又は
前記音響波が、前記物体の中に音響振動を発生させる、請求項１に記載のシステム。
【請求項３】
前記音響波が、縦波、せん断波、表面波及びプレート波の少なくとも１つを含む、請求項１又は２に記載のシステム。
【請求項４】
前記流体が、洗浄媒体及びリンス媒体を含む、請求項１に記載のシステム。
【請求項５】
前記音響デバイスの位置、前記流体ディスペンサの位置及び前記バキュームの位置が、前記表面に対して調節可能である、請求項１に記載のシステム。
【請求項６】
前記流体ディスペンサが、
洗浄媒体を前記表面に送出するように構成された洗浄媒体ディスペンサと、
リンス媒体を前記表面に送出するように構成されたリンス媒体ディスペンサと
を含む、請求項１に記載のシステム。
【請求項７】
前記洗浄媒体ディスペンサ、前記リンス媒体ディスペンサ及び前記バキュームが、洗浄ヘッドに装着される、請求項６に記載のシステム。
【請求項８】
前記洗浄ヘッドが、ロボットアセンブリに装着され、前記ロボットアセンブリが、前記表面に対して前記洗浄ヘッドを位置付ける、請求項７に記載のシステム。
【請求項９】
前記洗浄媒体が、液体及び気体の少なくとも１つを含み、前記リンス媒体が、液体及び気体の少なくとも１つを含む、請求項６に記載のシステム。
【請求項１０】
前記洗浄媒体及び前記リンス媒体が、異なる組成を含む、請求項６に記載のシステム。
【請求項１１】
前記音響波が、前記堆積物と前記表面との間の粘着力を低減する、請求項１に記載のシステム。
【請求項１２】
前記流体が、前記表面から取り除かれた前記堆積物を集める、請求項１に記載のシステム。
【請求項１３】
前記音響波が、前記表面の洗浄ゾーンに集束される、請求項１から１２の何れか一項に記載のシステム。
【請求項１４】
前記音響デバイスが、音波トランスデューサ及び超音波トランスデューサの少なくとも１つを含む、請求項１に記載のシステム。
【請求項１５】
音響デバイスのアレイとして配置された複数の音響デバイスを更に含み、前記音響デバイスのアレイが、前記物体に空気連結される、請求項１から１４の何れか一項に記載のシステム。
【請求項１６】
前記音響デバイスのアレイが、集束した音響波を前記表面に送出し、前記集束した音響波の干渉が、前記表面で音響波干渉ゾーンを画定する、請求項１５に記載のシステム。
【請求項１７】
前記音響デバイスのアレイが、パラメトリックアレイ及びフェーズドアレイの少なくとも１つを含む、請求項１５に記載のシステム。
【請求項１８】
音響デバイスの第１のアレイ及び音響デバイスの第２のアレイとして配置された複数の音響デバイスを更に含み、前記音響デバイスの第１のアレイが、前記物体に空気連結され、前記音響デバイスの第２のアレイが、前記物体に物理的に連結される、請求項１から１７の何れか一項に記載のシステム。
【請求項１９】
前記物体を保持するように構成された保持固定具を更に備え、前記音響波が、前記物体の中で音響振動を発生させる、請求項１から１８の何れか一項に記載のシステム。
【請求項２０】
前記音響デバイスが、前記保持固定具に連結され、前記洗浄ヘッドの位置が、前記物体に対して調節可能である、請求項１９に記載のシステム。
【請求項２１】
前記音響デバイスが、前記保持固定具に物理的に連結される、及び／又は
前記音響デバイスが、前記保持固定具及び前記物体の少なくとも１つに空気連結される、請求項１９に記載のシステム。
【請求項２２】
前記保持固定具が、音響共振システムを画定する、請求項１９に記載のシステム。
【請求項２３】
前記保持固定具が、前記物体の一部である、請求項２０に記載のシステム。
【請求項２４】
音響デバイスの第１のアレイ及び音響デバイスの第２のアレイとして配置された複数の音響デバイスを更に含み、前記音響デバイスの第１のアレイが、前記保持固定具に物理的に連結され、前記音響デバイスの第２のアレイが、前記保持固定具及び前記物体の少なくとも１つに空気連結される、請求項１９から２３の何れか一項に記載のシステム。
【請求項２５】
前記流体が、液体及び気体の少なくとも１つを含む、又は
前記流体が、水及び水溶液の少なくとも１つを含む、請求項１に記載のシステム。
【請求項２６】
表面を含む物体を洗浄するための方法であって、
前記表面から堆積物を取り除くために、音響波を前記物体に送出することと、
取り除かれた堆積物を集めるために、洗浄媒体を前記表面に送出することと、
前記洗浄媒体及び前記取り除かれた堆積物を音響的に処理し微粒化するために、前記音響波を前記物体に送出することと、
微粒化した洗浄媒体及び取り除かれた堆積物を集めるために、バキューム気流を適用することと、
リンス媒体を前記表面に送出することと、
前記リンス媒体を音響的に処理し微粒化するために、前記音響波を前記物体に送出することと、
微粒化したリンス媒体を集めるために、前記バキューム気流を適用することと
を含む方法。
【請求項２７】
前記音響波が、前記物体の中に音響振動を発生させる、請求項２６に記載の方法。
【請求項２８】
前記物体を保持固定具に装着することと、
前記物体の中で音響振動を発生させるために、前記保持固定具及び前記物体の少なくとも１つに前記音響波を送出することと
を更に含む、請求項２６又は２７に記載の方法。
【請求項２９】
前記保持固定具が、音響共振システムを画定する、請求項２８に記載の方法。
【請求項３０】
前記表面の洗浄ゾーン上に前記音響波を集束させることと、
前記物体の中に音響振動のパターンを生成することと
を更に含む、請求項２６から２９の何れか一項に記載の方法。
【請求項３１】
前記音響振動の前記パターンを生成する前記ステップが、前記音響波の干渉によって、前記表面の少なくとも一部分に音響干渉ゾーンを画定することを含む、請求項３０に記載の方法。
【請求項３２】
前記音響波が、前記堆積物と前記表面との間の粘着力を低減する、請求項２６に記載の方法。
【請求項３３】
前記洗浄媒体及び前記リンス媒体が、液体及び気体の少なくとも１つを含む、請求項２６に記載の方法。
【請求項３４】
前記洗浄媒体を送出する前記ステップ及び前記リンス媒体を送出する前記ステップが、連続的に発生する、又は
前記洗浄媒体を送出する前記ステップ及び前記リンス媒体を送出する前記ステップが、同時に発生する、請求項２６に記載の方法。
【手続補正書】
【提出日】平成30年1月26日(2018.1.26)
【手続補正１】
【補正対象書類名】特許請求の範囲
【補正対象項目名】全文
【補正方法】変更
【補正の内容】
【特許請求の範囲】
【請求項１】
タイヤ用エラストマー積層体であって、前記積層体が、少なくとも２層の積層されたエラストマー層である：
‐  少なくとも１種の熱可塑性エラストマー（TPE）をベースとする組成物で構成され、前記熱可塑性エラストマーが、水素添加されていてもよい少なくとも１種のブタジエン／スチレンランダム共重合体系エラストマーブロックと、少なくとも１種のスチレン系熱可塑性ブロックとを含むブロック共重合体であり、その含有量が50phrより多く100phr（phr：エラストマー100質量部に対する質量部）に及ぶ範囲内である第１層と、
‐  少なくとも１種のジエンエラストマーと、少なくとも１種の熱可塑性エラストマー（TPE）とをベースとする組成物で構成され、前記ジエンエラストマーの含有量が50phrより多く95phrに及ぶ範囲内であり、前記熱可塑性エラストマーが、水素添加されていてもよい少なくとも１種のブタジエン／スチレンランダム共重合体系エラストマーブロックと、少なくとも１種のスチレン系熱可塑性ブロックとを含むブロック共重合体であり、前記熱可塑性エラストマーの含有量が５phrから50phr未満に及ぶ範囲である第２層と
を含む前記積層体。
【請求項２】
前記SBRエラストマーブロックのスチレン含有量が10％から60％に及ぶ範囲内である、請求項１記載の積層体。
【請求項３】
前記SBRエラストマーブロックの前記ブタジエン部の1,2-結合の含有量が４から75mol％に及ぶ範囲内であり、1,4-結合の含有量が20から96mol％に及ぶ範囲内である、請求項１又は２記載の積層体。
【請求項４】
前記第１層の前記SBRエラストマーブロックの前記ブタジエン部位の二重結合の25から100mol％に及ぶ割合が水素添加されている、請求項１〜３のいずれか１項記載の積層体。
【請求項５】
前記ブロック共重合体の前記熱可塑性ブロックが、ポリスチレンから選択される請求項１〜４のいずれか１項記載の積層体。
【請求項６】
前記第１層の前記組成物において、水素添加されていてもよい少なくとも１種のブタジエン／スチレンランダム共重合体系エラストマーブロックと、少なくとも１種のスチレン系熱可塑性ブロックとを含む前記ブロック共重合体熱可塑性エラストマー（TPE）の含有量が、70から100phrに及ぶ範囲である、請求項１〜５のいずれか１項記載の積層体。
【請求項７】
前記第１層が架橋系を含まない、請求項１〜６のいずれか１項記載の積層体。
【請求項８】
前記第１層が、置換されていてもよいポリフェニレンエーテルユニットを含む熱可塑性樹脂を更に含む、請求項１〜７のいずれか１項記載の積層体。
【請求項９】
前記第２層の前記組成物において、水素添加されていてもよい少なくとも１種のブタジエン／スチレンランダム共重合体系エラストマーブロックと少なくとも１種のスチレン系熱可塑性ブロックとを含む前記ブロック共重合体熱可塑性エラストマー（TPE）の含有量が、５から49phrに及ぶ範囲内である、請求項１〜８のいずれか１項記載の積層体。
【請求項１０】
前記第２層の前記ジエンエラストマーが、本質的に不飽和のジエンエラストマー及びこれらのエラストマーの混合物からなる群から選択される、請求項１〜９のいずれか１項記載の積層体。
【請求項１１】
請求項１〜１０のいずれか１項記載の積層体を含むタイヤ。
【手続補正書】
【提出日】平成30年2月15日(2018.2.15)
【手続補正１】
【補正対象書類名】特許請求の範囲
【補正対象項目名】全文
【補正方法】変更
【補正の内容】
【特許請求の範囲】
【請求項１】
患者の１つ又は複数の生理パラメータをモニタリングするためのモニタリングデバイスであって、
前記患者の皮膚に結合させるための少なくとも２つの電極と、電池と、第１の電気接点のセットと、カバーと、使い捨て部分受け入れ用に前記カバーに形成されたポケットとを備える使い捨て部分であり、前記ポケットが、複数の壁と、前記複数の壁の１つに形成された凹部と、レッジ部とにより画定されている、使い捨て部分と、
プロセッサと、メモリと、第２の電気接点のセットと、前記少なくとも２つの電極に結合されている検知回路とを備える再使用可能部分であり、該再使用可能部分は、前記使い捨て部分の前記ポケット内で機械的に結合可能であり、前記第１の電気接点及び前記第２の電気接点を通じて前記使い捨て部分に電気的に結合可能であり、前記ポケット内で該再使用可能部分を保持するために前記レッジ部と係合するスナップ機構を含む、再使用可能部分と
を備え、
前記再使用可能部分及び前記使い捨て部分が前記第１の電気接点及び前記第２の電気接点を通じて電気的に結合された場合に、前記少なくとも２つの電極からの信号が前記検知回路に渡され、前記プロセッサによって処理され、
前記検知回路及び前記プロセッサは、結合されている前記第１の電気接点及び前記第２の電気接点を通じて前記電池から給電され、
前記スナップ機構が前記レッジ部との係合を解除するように、前記凹部の形成された前記壁の破断を引き起こす力が加えられることにより、前記再使用可能部分及び前記使い捨て部分が機械的に分離された場合に、前記使い捨て部分が、前記再使用可能部分及び前記使い捨て部分を機械的に分離する工程によって使用不可能にされる、モニタリングデバイス。
【請求項２】
前記再使用可能部分及び前記使い捨て部分は分離可能であり、前記再使用可能部分は、異なる使い捨て部分とともに使用することができる、請求項１に記載のモニタリングデバイス。
【請求項３】
患者の１つ又は複数の生理パラメータをモニタリングするためのモニタリングデバイスであって、
底層と、前記患者の皮膚に結合するための少なくとも２つの電極と、電池と、第１の電気接点のセットと、カバーと、使い捨て部分受け入れ用に前記カバーに形成されたポケットとを備える使い捨て部分であり、前記ポケットが、複数の壁と、前記複数の壁の１つに形成された凹部と、レッジ部とにより画定されている、使い捨て部分と、
プロセッサと、メモリと、第２の電気接点のセットと、前記少なくとも２つの電極に結合されている検知回路とを備える再使用可能部分であり、該再使用可能部分は、前記再使用可能部分及び前記使い捨て部分が機械的に結合された場合に、前記再使用可能部分及び前記使い捨て部分が耐水性ユニットを形成するように、前記使い捨て部分の前記ポケット内で機械的に結合可能であり、該再使用可能部分は、前記第１の電気接点及び前記第２の電気接点を通じて前記使い捨て部分に電気的に結合可能であり、前記ポケット内で該再使用可能部分を保持するために前記レッジ部と係合するスナップ機構を含む、再使用可能部分と
を備え、
前記再使用可能部分及び前記使い捨て部分が前記第１の電気接点及び前記第２の電気接点を通じて電気的に結合された場合に、前記少なくとも２つの電極からの信号が前記検知回路に渡され、前記プロセッサによって処理され、
前記検知回路及び前記プロセッサは、結合されている前記第１の電気接点及び前記第２の電気接点を通じて前記電池から給電され、
前記スナップ機構が前記レッジ部との係合を解除して前記使い捨て部分を使用不可能とするように、前記凹部の形成された前記壁の破断を引き起こす力が加えられることにより、前記再使用可能部分及び前記使い捨て部分が分離可能であり、前記再使用可能部分は、異なる使い捨て部分とともに使用することができる、モニタリングデバイス。
【請求項４】
前記再使用可能部分は、リアルタイムクロックと、前記リアルタイムクロックに給電する二次電池とを備え、前記再使用可能部分と前記使い捨て部分とが前記第１の電気接点及び前記第２の電気接点を通じて結合された場合に、前記二次電池は、前記第１の電気接点及び前記第２の電気接点を通じて一次電池から充電される、請求項１又は３に記載のモニタリングデバイス。
【請求項５】
患者の心電図をモニタリングするためのモニタリングデバイスであって、
ベイと、患者の皮膚に粘着させるための第１の表面とを有するシェルを備える使い捨て部分であり、前記使い捨て部分は、前記シェルの前記第１の表面上の少なくとも２つの皮膚電極と、前記シェルに収容されている電池と、前記ベイ内にあり、前記電池及び前記皮膚電極と電気的に通信している第１の電気接点のセットとを含む、使い捨て部分と、
前記使い捨て部分の前記ベイ内に解放可能に受け入れられ機械的に結合される再使用可能部分であり、前記再使用可能部分は、モニタリング回路と、前記モニタリング回路と電気的に通信している第２の電気接点のセットとを備える、再使用可能部分と
を備え、
前記使い捨て部分の前記ベイ及び前記再使用可能部分は、前記使い捨て部分の前記皮膚電極及び前記電池が前記再使用可能部分の前記モニタリング回路と電気的に通信するように、前記第１の電気接点のセットと電気的に接触している前記第２の電気接点のセットを用いて、前記再使用可能部分を前記使い捨て部分の前記ベイ内に解放可能にロックするインターロック機構を含み、前記ベイは、第１の端部と第２の端部とを含み、前記第１の電気接点のセットは前記第１の端部に沿って配置されており、前記インターロック機構は、前記第２の端部に沿って配置されている破断可能機構を含む、モニタリングデバイス。
【請求項６】
前記使い捨て部分の前記シェルは、第２の表面と、前記第２の表面から前記シェルへと延伸して前記ベイを画定するフレームとを有し、前記第１の表面及び前記第２の表面は、１つ又は複数の可撓性で通気性のある材料から形成されており、前記フレーム及び前記再使用可能部分は、前記使い捨て部分の前記第１の表面及び前記第２の表面に対して剛性であり、それによって、前記モニタリングデバイスは、前記患者の皮膚に一致するように構成されている、請求項５に記載のモニタリングデバイス。
【請求項７】
前記使い捨て部分の前記第１の表面は、高い水蒸気透過率を有する材料から作製されている、請求項５又は６に記載のモニタリングデバイス。